(57)【特許請求の範囲】
【請求項１】
第１の線状部材と、第２の線状部材と、装飾体とを含む装身具であって、
前記第２の線状部材は、前記第１の線状部材の周りを周回しながら、その長さ方向に進行する状態で、前記第１の線状部材に組み合わされており、
前記装飾体は、前記第１の線状部材のみに移動可能に装着されている
装身具。
【発明の詳細な説明】
【０００１】
【発明の属する技術分野】
本発明は装身具に関する。
【０００２】
【従来の技術】
鎖等の線状部材上に、移動可能に、装飾体を装着した装身具としては、例えば実開昭６１−２４０８７号公報に開示されたものが知られている。実開昭６１−２４０８７号公報を参照すると、装飾体には、装着手段として、貫通孔が設けられる。そして、貫通孔にゴム管を挿入し、挿入したゴム管の内径より直径の大きい化粧鎖（線状部材）を強制的に移動できるように挿通させてある。ゴム管は弾力性を有するから、その弾力性を利用して、化粧鎖（線状部材）上の任意の位置に、装飾体を止めることができる。
【０００３】
しかし、ゴム管に化粧鎖（線状部材）を挿通させる構造では、装飾体を移動する場合の力加減の判断が困難であり、破損の原因になりかねない。また、ゴム管は長期の使用による劣化が不可避であり、弾力性が低下した場合に担持体として良好に機能しなくなるという問題がある。
【０００４】
逆に、上述のような保持手段を講じない場合は、装飾体が線状部材上を自由に遊動してしまうから、購入者が好みに応じて実現できる装飾体の配置に係るデザインに限界がある。
【０００５】
【発明が解決しようとする課題】
本発明の課題は、装飾体を移動させて、多様な配置を実現し得る装身具を提供することである。
【０００６】
【課題を解決するための手段】
上述した課題を解決するため、本発明に係る装身具は、第１の線状部材と、第２の線状部材と、装飾体とを含む。前記第２の線状部材は、前記第１の線状部材の周りを周回しながら、その長さ方向に進行する状態で、前記第１の線状部材に組み合わされている。前記装飾体の少なくとも１つは、前記第１の線状部材に移動可能に装着されている。
【０００７】
上述したように、第２の線状部材は、第１の線状部材の周りを周回しながら、その長さ方向に進行する状態で、第１の線状部材に組み合わされているから、第２の線状部材と第１の線状部材との間には、周回ピッチの周期に応じた交叉部分が生じる。この交叉部分は、装飾体の移動を一時的に阻止する仮留め部分とすることができる。従って、装飾体を第１の線状部材に装着した場合、装飾体を、２つの交叉部分で仮留めすることができる。
【０００８】
装飾体の少なくとも１つは、第１の線状部材に移動可能に装着される。第１の線状部材と第２の線状部材とは組み合わされるだけで、必ずしも固着されるわけではない。交叉部分でも同様である。この構造のもとで、装飾体の少なくとも１つは、第１の線状部材に移動可能に装着されているから、移動可能な装飾体は、仮留め部分として機能する交叉部分を超えて、移動することができる。従って、装飾体を移動して多様な配置にすることができる。
【０００９】
本発明の他の目的、構成及び利点については、添付図面を参照し、更に詳しく説明する。添付図面は、単に、例示に過ぎない。
【００１０】
【発明の実施の形態】
図１は本発明に係る装身具の斜視図、図２は図１に示す装身具の一部を拡大した側面図である。図示する装身具は、第１の線状部材１と、第２の線状部材２と、装飾体３とを含む。
【００１１】
第１の線状部材１及び第２の線状部材２は、好ましくは可撓性金属線材でなる。第２の線状部材２は、第１の線状部材１の周りを周回しながら、その長さ方向に進行する状態で、第１の線状部材１に組み合わされている。
【００１２】
図示実施例において、第２の線状部材２は、波形状部分を有する。第１の線状部材１は、波形状部分のピッチ間を縫うように組み合わされている。波形状部分は、第２の線状部材２の全長にわたって設けられているが、一部にのみ設けた構造であってもよい。
【００１３】
装飾体３の少なくとも１つは、第１の線状部材１に移動可能に装着される。装飾体３は、一個であってもよいし、複数個であってもよい。図示実施例では、装飾体３は複数個である。また、装飾体３は全てが移動可能であってもよいし、一部の装飾体３が固着されていて、固着された装飾体３が移動不能であってもよい。
【００１４】
装飾体３は、第１の線状部材１に対する装着手段として貫通孔を有し、第１の線状部材１は貫通孔に挿通されている。装飾体３としては、真珠、宝石類またはペンダント等、種々のものが使用できる。また、装飾体３は、内部に、補助的な担持手段、例えば弾性体を有していてもよい。
【００１５】
図示された装身具は留め具４を有する。留め具４は周知のものの中から、適宜選択して使用することができる。
【００１６】
上述したように、第２の線状部材２は、第１の線状部材１の周りを周回しながら、その長さ方向に進行する状態で、第１の線状部材１に組み合わされているから、第２の線状部材２と第１の線状部材１との間には、周回ピッチの周期に応じた交叉部分５が、第１の線状部材１の上下に交互に生じる。上述した交叉部分５は、装飾体３の移動を一時的に阻止する仮留め部分として機能する。従って、装飾体３を第１の線状部材１に装着した場合、２つの交叉部分５の間に装飾体３を仮留めすることができる。
【００１７】
第１の線状部材１と第２の線状部材２とは組み合わされるだけで、必ずしも固着されるわけではない。交叉部分５も同様である。上述の構造のもとで、装飾体３の少なくとも１つは、第１の線状部材１に移動可能に装着されているから、装飾体３は、仮留め部分として機能する交叉部分５を超えて、移動することができる。従って、装飾体３を移動させて多様な配置にすることができる。この点については、後に詳細に説明する。
【００１８】
また、第１の線状部材１が、第２の線状部材２の波形状部分のピッチ間を縫うように組み合わされている図示実施例の構造は、装飾具としての美観にも優れている。
【００１９】
図示する装飾体３は、装着手段として貫通孔を有し、第１の線状部材１に直接装着されているが、これは例示に過ぎない。特に、貫通孔を設けることが技術的に困難な宝石類を使用する場合や、デザイン上の要請に対応する場合において、装飾体３と第１の線状部材１との間に連結部を介在させて、連結部を通じて装飾体３を第１の線状部材１に装着しても同様の効果を得ることができる。
【００２０】
また、図示する装身具の構造が、ブレスレット等の小径装身具に使用される場合は、留め具４を設けなくともよい。また、図面上明らかでないがないが、通常、第１の線状部材１及び第２の線状部材２の端部は、留め具４との連結部において一本化される。但し、上述のように留め具４を設けずに、第１の線状部材１と第２の線状部材２とを、端部で、相互に直接固着してもよい。
【００２１】
図３は図１及び図２に示す装身具に含まれる第２の線状部材２の一部を拡大した平面図、図４は図３の４−４線に沿った拡大断面図、図５は図３の５−５線に沿った拡大断面図である。図において、図１及び図２に図示した構成部分と同一の構成部分には、同一の参照符号を付し、重複説明を省略する。
【００２２】
図３乃至図５を参照すると、第２の線状部材２は、好ましくは可撓性金属線材を軸芯２２とし、軸芯２２の周囲に、金属板２１を螺旋状に巻装した蛇腹構造を有する。金属板２１の材料として金、銀またはプラチナ等の貴金属類を用いることができる。
【００２３】
また、図５を参照すると、軸芯２２の上下（図において）は金属板２１と近接しているが、左右方向において軸芯２２と金属板２１との間には空間が生じており、第２の線状部材２の断面形状は楕円形となる。このような第２の線状部材２は公知であるから、詳細は省略する。
【００２４】
上記構造の第２の線状部材２は、上下若しくは垂直方向に曲りにくく、左右若しくは水平方向には曲りやすい性質を有する。従って、第２の線状部材２が波形状のような複雑な形状をとる場合であっても、その形状を、十分な機械的強度を有しつつ、安定して形成し、且、維持できる。
【００２５】
加えて、第２の線状部材２を、楕円構造とすることにより、表面積の大きい上下面に彩色やメッキ加工を施すという簡易、且、安価な方法で、装身具としての美観を向上させることができる。
【００２６】
第２の線状部材２の蛇腹構造は例示に過ぎない。第２の線状部材２は、一定方向に曲りにくい線材であれば、単一素材からなる金属線材、合成樹脂線材またはその組み合わせで等で構成してもよい。
【００２７】
図６乃至図８は、図１及び図２に図示した装身具において装飾体３の移動及び配置を示す平面図である。図６は図１及び図２に示した装身具の一部を拡大した平面図である。図において、図１乃至図５に図示した構成部分と同一の構成部分には、同一の参照符号を付し、重複説明を省略する。
【００２８】
図示では、第２の線状部材２は、表面積が大きい上下面を装身具の前面に使用している。第２の線状部材２は、波形状部分を有し、装飾体３は、第１の線状部材１に対し、波形状部分のピッチ毎に生じる交叉部分５の相互間に仮留めされている。
【００２９】
上述の構造によると、第２の線状部材２は、図において、上下若しくは垂直方向に曲りにくくいが、第１の線状部材１から離れる方向には曲り易いので、装飾体３を、矢印ａで示す方向に移動させることができる。
【００３０】
図７は、図６に示したように、２つの装飾体３を矢印ａの方向にそれぞれ動かした後の状態を示す平面図である。仮留め構造は、第１の線状部材１と第２の線状部材との間に生じる交叉部分５を利用する構造であり、交叉部分５は必ずしも固着されていないので、装飾体３を、交差部分５を越えて、矢印で示す方向に移動させ、任意の場所に配置することができる。
【００３１】
図８は、装飾体３を、図７に示した状態から、矢印ａで示す方向に更に動かした状態を示す図である。複数の交叉部分５の相互間に仮留めできる装飾体３の数は、第２の線状部材２の波形状部分のピッチ間隔により決定できる。すなわち、第２の線状部材２の波形状部分のピッチ間隔を長くすれば、第１の線状部材１上の交叉部分５の相互間の距離は長くなるから、仮留めできる装飾体３の数は増加する。具体的な第２の線状部材２のピッチ数の設定は、第１の線状部材１に装着される装飾体３の数や重量及び全体的なデザインバランスを考慮して任意に決定すべき事項である。
【００３２】
図９は本発明に係る装身具について別の異なる実施例を示す斜視図、図１０は本発明に係る装身具について更に異なる実施例を示す斜視図である。
【００３３】
図９の実施例では、図１に図示した実施例とは異なり、装飾体３が装飾具の内部方向に等間隔で配置されている。図１０は、図１及び図９とは異なり、装飾体３を２つづつ集合させた図である。図において、図１乃至図８に図示した構成部分と同一の構成部分には、同一の参照符号を付し、重複説明を省略する。
【００３４】
【発明の効果】
以上述べたように、本発明によれば、装飾体を移動させて多様な配置を実現し得る装身具を提供することができる。
【図面の簡単な説明】
【図１】本発明に係る装身具の斜視図である。
【図２】図１に示す装身具の一部拡大側面図である。
【図３】図１に示す装身具に含まれる第２の線状部材の一部拡大平面図である。
【図４】図３の４−４線に沿った一部拡大断面図である。
【図５】図３の５−５線に沿った一部拡大断面図である。
【図６】図１及び図２に示した装身具の使用態様を示す一部拡大平面図である。
【図７】図５に図示した装身具の使用態様を示す一部拡大平面図である。
【図８】図６に示した装身具の使用態様を示す一部拡大平面図である。
【図９】本発明に係る装身具の別の実施例を示す斜視図である。
【図１０】本発明に係る装身具の更に異なる実施例を示す斜視図である。
【符号の説明】
１              第１の線状部材
２              第２の線状部材
３              装飾体
【図１】
0003692070.tif 000002
【図２】
0003692070.tif 000003
【図３】
0003692070.tif 000004
【図４】
0003692070.tif 000005
【図５】
0003692070.tif 000006
【図６】
0003692070.tif 000007
【図７】
0003692070.tif 000008
【図８】
0003692070.tif 000009
【図９】
0003692070.tif 000010
【図１０】
0003692070.tif 000011